(57)【要約】【課題】スリーブとペン先部との間の傾斜角度を調整できるタッチペンを提供すること。【解決手段】本発明に係るタッチペンは、スリーブ、ペン先部及び回転軸を備えてなる。前記ペン先部は前記回転軸を介して前記スリーブの一端に枢着される。前記スリーブは、前記回転軸の回りに所定の角度に回転してから、前記ペン先部に対して傾斜するように維持される。【選択図】図３
2011227862.tif 000002
【特許請求の範囲】
【請求項１】
スリーブ、ペン先部、及び回転軸を備えてなるタッチペンであって、
前記ペン先部は、前記回転軸を介して前記スリーブの一端に枢着され、
前記スリーブは、前記回転軸の回りに所定の角度に回転してから、前記ペン先部に対して傾斜状態に維持されることを特徴とするタッチペン。
【請求項２】
前記ペン先部は、貫通穴が設けられている連結片を含み、
前記スリーブの一端には、枢着部が設けられ、前記貫通穴に前記回転軸を挿入することにより前記連結片と前記枢着部とが一体に枢着されることを特徴とする請求項１に記載のタッチペン。
【請求項３】
前記枢着部は、並列して延在する２つの固定片を含み、前記２つの固定片のそれぞれには、軸穴が設けられており、
前記連結片は、前記２つの固定片の間に挟持され、且つ前記連結片と前記２つの固定片のそれぞれとの間に摩擦力を有することを特徴とする請求項２に記載のタッチペン。
【発明の詳細な説明】
【技術分野】
【０００１】
本発明は、タッチペンに関し、特にスリーブとペン先部との角度を調整できるタッチペンに関するものである。
【背景技術】
【０００２】
最近、静電容量式タッチパネルは、抵抗膜式タッチパネルより高透光率、耐摩耗、高感度などの長所を有するため、多種の電子製品に広く用いられている。静電容量式タッチパネルとは、指先或いは任意の導電体でタッチパネルの表面をタッチして、人体及びタッチパネルの表面導電層が形成する電場に容量カップリングを発生させて、タッチパネル表面の微弱な電流を吸収して、さらにタッチされた位置を検知する。指先でタッチ操作を行う場合、タッチパネルに油汚れ及び指紋が付き易いため、ユーザーは通常タッチペンで入力操作を行う。
【発明の概要】
【発明が解決しようとする課題】
【０００３】
しかし、ユーザーがタッチペンで入力する際に、タッチ機能に影響を及ぼさないとの前提下で、自分の書き習慣及び入力強度に基づいてスリーブとペン先部との傾斜角度を調整することができないという欠点があるので、入力速度及び快適性が低下する。
【０００４】
本発明は、上記の問題点を鑑みてなされたものであり、スリーブとペン先部との間の傾斜角度を調整できるタッチペンを提供することを目的とする。
【課題を解決するための手段】
【０００５】
前記課題を解決するために、本発明に係るタッチペンは、スリーブ、ペン先部及び回転軸を備えてなる。前記ペン先部は前記回転軸を介して前記スリーブの一端に枢着される。前記スリーブは、前記回転軸の回りに所定の角度に回転してから、前記ペン先部に対して傾斜状態に維持される。
【発明の効果】
【０００６】
従来の技術に比べて、本発明に係るタッチペンのペン先部及びスリーブは、回転軸により互いに対して回転可能に枢着されるので、ユーザーは自分の書き習慣及び入力強度に基づいて、前記スリーブの前記ペン先部に対する傾斜角度を調整することができる。前記スリーブは、所定の角度に回転してから、前記ペン先部との摩擦力により前記ペン先部に対して適宜な傾斜角度に維持される。従って、本発明のタッチペンは、タッチ機能に影響を与えずに、入力する際の速度及び快適性を向上する目的を達成する。
【図面の簡単な説明】
【０００７】
【図１】本発明に係るタッチペンの斜視図である。
【図２】図１に示したタッチペンの分解図である。
【図３】本発明のタッチペンの使用状態を示す図である。
【発明を実施するための形態】
【０００８】
図１及び図２に示したように、本発明に係るタッチペンは、スリーブ１０、回転軸２０及びペン先部３０から構成される。前記ペン先部３０は、前記回転軸２０を介して前記スリーブ１０に枢着される。前記スリーブ１０、前記回転軸２０及び前記ペン先部３０は、全て導電材料からなる。
【０００９】
前記スリーブ１０は、端面１１及び前記端面１１に設けられている枢着部１２を備える。前記枢着部１２は、互いに離間して平行するように延在する２つの固定片１３を含む。各固定片１３には、軸穴１４が設けられ、前記回転軸２０は、前記軸穴１４内に装着される。
【００１０】
前記ペン先部３０は、書き部３３及び前記書き部３３の片側に設けられている連結片３１を含む。前記連結片３１の中央部には、貫通穴３１１が設けられている。前記タッチペンを組み立てる場合、前記貫通穴３１１とその左右に位置する２つの前記軸穴１４とが同一軸線上に位置するように、前記連結片３１を前記２つの固定片１３の間に挿入し、前記回転軸２０を前記軸穴１４及び前記貫通穴３１１に順次に貫いて、前記ペン先部３０を前記スリーブ１０に枢着させる。この際、前記回転軸２０の両端は、それぞれ前記２つの軸穴１４に緊密に係止されている。前記連結片３１と前記２つの固定片１３との間に一定の摩擦力を有するので、前記スリーブ１０の前記ペン先部３０に対する回転角度は、６０°以内に規制される。
【００１１】
本実施形態において、前記書き部３３は、円盤状を呈し、タッチパネル付き電子装置の入力手段として使用される。また、本発明に係るタッチペンは、容量式タッチペンである場合、人体と前記スリーブ１０との接触により、前記書き部３３とタッチパネルの表面導電層との間には、電場を生じることができる。
【００１２】
図３に示したように、前記タッチペンを使用して、電子装置のタッチパネルに入力する場合、前記スリーブ１０の枢着部１２が前記ペン先部３０の連結片３１に対して回転しながら、前記回転軸２０と前記軸穴１４又は／及び前記貫通穴３１１との係合力を克服する。前記枢着部１２が前記連結片３１に対して所定の角度に回転された後、前記スリーブ１０は、前記連結片３１と前記２つの固定片１３との摩擦力により、前記ペン先部３０に対して適宜な傾斜角度に維持される。この際、前記書き部３３は相変らず前記タッチパネルと十分に接触されている。このようにして、ユーザーは書き習慣及び力度に基づいて、前記スリーブ１０の前記ペン先部３０に対する角度を調整することができる。
【００１３】
本発明の解決法によれば、前記ペン先部３０及び前記スリーブ１０は、回転軸２０により互いに対して回転可能に枢着されるので、ユーザーは自分の書き習慣及び入力強度に基づいて、前記スリーブの前記ペン先部３０に対する傾斜角度を調整することができる。前記スリーブ１０は、所定の角度に回転されてから、前記ペン先部３０との摩擦力により前記ペン先部３０に対して適宜な傾斜角度に維持される。従って、本発明のタッチペンは、タッチ機能に影響を与えずに、入力する際の速度及び快適性を向上する目的を達成する。
【００１４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００１５】
１０          スリーブ
１１          端面
１２          枢着部
１３          固定片
１４          軸穴
２０          回転軸
３０          ペン先部
３１          連結片
３３          書き部
３１１        貫通穴
【図１】
2011227862.tif 000003
【図２】
2011227862.tif 000004
【図３】
2011227862.tif 000005